(57)【要約】【課題】  光学式ピックアップに組み込まれているレーザーダイオードから照射されるレーザー光にて光ディスクに信号の記録動作を行う光ディスク記録再生装置のフォーカス制御方法を提供する。【解決手段】  フォーカスサーボのデフォーカス値を変更する毎に信号トラック方向のスポット径と信号トラックに対して直角方向のスポット径を検出し、トラック方向のスポット径と直角方向のスポット径の比率が所定値内になるようにデフォーカス値を設定することによって記録動作に適したスポットにする。【選択図】    図１
2006164411.tif 000002
【特許請求の範囲】
【請求項１】
光学式ピックアップから照射されるレーザー光により長さの異なる複数のピットを光ディスクに形成することによって光ディスクに信号を記録するように構成された光ディスク記録再生装置のフォーカス制御方法であり、フォーカスサーボのデフォーカス値を変更する毎に信号トラック方向のスポット径と信号トラックに対して直角方向のスポット径を検出し、トラック方向のスポット径と直角方向のスポット径の比率が所定値内になるようにデフォーカス値を設定するようにしたことを特徴とする光ディスク記録再生装置のフォーカス制御方法。
【請求項２】
光ディスクに記録されている長さの異なるピットを再生して得られるＲＦ信号のレベルを比較することによって信号トラック方向のスポット径の検出動作を行うようにしたことを特徴とする請求項１に記載のフォーカス制御方法。
【請求項３】
レベル比較動作を光ディスクに記録されている最短ピットと最長ピットを再生して得られるＲＦ信号にて行うようにしたことを特徴とする請求項２に記載のフォーカス制御方法。
【請求項４】
信号トラックにレーザー光のスポットを追従させるトラッキングサーボを不動作状態にさせた状態において、光ディスクに記録されている信号を再生して得られるＲＦ信号のレベルを比較することによって信号トラック方向に対して直角方向のスポット径の検出動作を行うようにしたことを特徴とする請求項１に記載のフォーカス制御方法。
【請求項５】
レベル比較動作をＲＦ信号の最小レベルと最大レベルとによって行うようにしたことを特徴とする請求項４に記載のフォーカス制御方法。
【請求項６】
トラック方向のスポット径と直角方向のスポット径の比率に対応した記録ストラテジが複数記録された記録ストラテジメモリー回路を設け、該記録ストラテジメモリー回路に記憶されている記録ストラテジをスポット径の比率に基づいて選択することにより記録ストラテジを設定するようにしたことを特徴とする請求項１に記載のフォーカス制御方法。
【発明の詳細な説明】
【技術分野】
【０００１】
本発明は、光学式ピックアップに組み込まれているレーザーダイオードから照射されるレーザー光にて光ディスクに信号の記録動作を行う光ディスク記録再生装置のフォーカス制御方法に関する。
【背景技術】
【０００２】
レーザーダイオードから照射されるレーザー光によって光ディスクへの信号の記録動作を行う光ディスク記録再生装置が普及している。光ディスク記録再生装置としては、ＣＤと呼ばれる光ディスクを使用するものやＤＶＤと呼ばれる光ディスクを使用するものが一般的である。
【０００３】
光ディスクへの信号の記録動作は、レーザー光にてピットを光ディスクに設けられているトラック上に形成することによって行われるが、斯かるピットの長さは、ＣＤディスクでは、３Ｔ、４Ｔ…１１Ｔと規定され、ＤＶＤディスクでは、３Ｔ、４Ｔ…１４Ｔと規定されている。
【０００４】
そして、光ディスクへの記録動作は、レーザーダイオードに記録信号に対応した駆動パルス、即ち図３に示すようなパルス信号を供給することによって行われるが、斯かる駆動パルスの間隔等は、光ディスクの記録特性に応じて設定されている記録ストラテジに基いて設定される。
【０００５】
斯かる記録ストラテジは、光学式ピックアップより照射されるレーザー光のスポットの形状が真円やトラックの接線方向、即ちタンジェンシャル方向の径が一定であるとして設定されている。しかしながら、レーザー光のスポットの方向は、一定ではなく光学式ピックアップ毎に相違するので、最適な記録動作が行われることにはならない。
【０００６】
斯かる点を改良するためにレーザー光のスポット方向を光ディスク上のトラックに対して調整する技術が開発されている(例えば、特許文献１参照。)。
【０００７】
また、光ディスクへの信号の記録動作を正確に行うためには、レーザーダイオードから照射されるレーザー光を信号面に合焦させる必要があり、斯かる合焦動作を行うためにフォーカスオフセット信号のレベルを設定する技術が開発されている(例えば、特許文献２参照。)。
【特許文献１】特開平８−６３７７７号公報
【特許文献２】特開２００４−１１９０１３号公報
【発明の開示】
【発明が解決しようとする課題】
【０００８】
特許文献１に記載されている技術は、光学式ピックアップの製造時に正確に調整する必要があるため、製造コストの高騰を招くという問題がある。また、このように調整された光学式ピックアップを使用しても光ディスク記録再生装置へ組み込まれた場合においては、取付位置のズレやフォーカス制御動作に伴うスポット形状の変化によりトラックに対するスポット形状との関係を一定にすることは困難である。
【０００９】
このように光ディスク上のトラックとレーザー光のスポット形状との関係が一定でない
ため、光ディスクの記録特性に合わせて前もって設定されている記録ストラテジでは、該光ディスクへの記録動作を最適な状態にて行うことが出来ないという問題がある。
【００１０】
また、特許文献２に記載されている技術は、フォーカスオフセット信号のレベル設定をトラッキングエラー信号を利用して行うようにされているが、スポットの形状を考慮したものでないため、記録動作に適したフォーカス制御動作を行うことが出来ないという問題がある。
【００１１】
本発明は、斯かる問題を解決することが出来るフォーカス制御方法を提供しようとするものである。
【課題を解決するための手段】
【００１２】
本発明は、光学式ピックアップから照射されるレーザー光により長さの異なる複数のピットを光ディスクに形成することによって光ディスクに信号を記録するように構成された光ディスク記録再生装置において、フォーカスサーボのデフォーカス値を変更する毎に信号トラック方向のスポット径と信号トラックに対して直角方向のスポット径を検出し、トラック方向のスポット径と直角方向のスポット径の比率が所定値内になるようにデフォーカス値を設定するように構成されている。
【００１３】
また、本発明は、光ディスクに記録されている長さの異なるピットを再生して得られるＲＦ信号のレベルを比較することによって信号トラック方向のスポット径の検出動作を行うように構成されている。
【００１４】
そして、本発明は、信号トラック方向のスポット径の検出動作を行うためのＲＦ信号のレベル比較動作を光ディスクに記録されている最短ピットと最長ピットを再生して得られるＲＦ信号にて行うように構成されている。
【００１５】
更に、本発明は、信号トラックにレーザー光のスポットを追従させるトラッキングサーボを不動作状態にさせた状態において、光ディスクに記録されている信号を再生して得られるＲＦ信号のレベルを比較することによって信号トラック方向に対して直角方向のスポット径の検出動作を行うように構成されている。
【００１６】
また、本発明は、トラッキングサーボを不動作状態にさせた状態におけるレベル比較動作をＲＦ信号の最小レベルと最大レベルとによって行うように構成されている。
【００１７】
そして、本発明は、トラック方向のスポット径と直角方向のスポット径の比率に対応した記録ストラテジが複数記録された記録ストラテジメモリー回路を設け、該記録ストラテジメモリー回路に記憶されている記録ストラテジをスポット径の比率に基づいて選択することにより記録ストラテジを設定するように構成されている。
【発明の効果】
【００１８】
本発明は、フォーカスサーボのデフォーカス値を変更する毎に信号トラック方向のスポット径と信号トラックに対して直角方向のスポット径を検出し、トラック方向のスポット径と直角方向のスポット径の比率が所定値内になるようにデフォーカス値を設定するようにしたので、フォーカス制御動作を正確に行うことが出来る。
【００１９】
また、本発明は、ＲＦ信号のレベル比較動作を光ディスクに記録されている最短ピットと最長ピットを再生して得られるＲＦ信号にて行うようにしたので、即ち、比較するレベル差が最も大きくなるピットより得られるＲＦ信号のレベルを比較するようにしたので、スポット形状の検出動作を正確に行うことが出来、その結果デフォーカス値の設定動作を
正確に行うことが出来る。
【００２０】
そして、本発明は、信号トラックにレーザー光のスポットを追従させるトラッキングサーボを不動作状態にさせた状態において、光ディスクに記録されている信号を再生して得られるＲＦ信号のレベルを比較することによって信号トラック方向に対して直角方向のスポット径の検出動作を行うようにしたので、該スポット径の検出動作を簡単に行うことが出来る。
【００２１】
また、本発明は、トラッキングサーボを不動作状態にさせた状態におけるＲＦ信号のレベル比較動作をＲＦ信号の最小レベルと最大レベルとによって行うようにしたので、該スポット径の検出動作を簡単に行うことが出来る。
【００２２】
そして、本発明は、トラック方向のスポット径と直角方向のスポット径の比率に対応した記録ストラテジが複数記録された記録ストラテジメモリー回路を設け、該記録ストラテジメモリー回路に記憶されている記録ストラテジをスポット径の比率に基づいて選択することにより記録ストラテジを設定するようにしたので、ディスクの記録特性に合った記録用パルス信号を生成させることが出来、正確な記録動作を行うことが出来る。
【発明を実施するための最良の形態】
【００２３】
本発明は、光ディスクに長さの異なるピットにて記録されている信号を再生することにより得られるＲＦ信号のレベルを比較することによってレーザー光のスポット形状を検出するようにされている。
【実施例】
【００２４】
図１は本発明に係る光ディスク記録再生装置の一実施例を示すブロック回路図、図２は本発明に係る光ディスクの信号トラックとレーザー光のスポットとの関係を示す説明図である。
【００２５】
図１において、１はスピンドルモーター(図示せず)によって回転駆動される光ディスクであり、例えば線速度一定になるように回転制御されるように構成されている。２はレーザー光を照射するレーザーダイオード３が組み込まれている光学式ピックアップであり、該レーザーダイオード３から照射されるレーザー光を光ディスク１の記録層に合焦させる対物レンズ４、光ディスク１から反射されるレーザー光を受光し電気信号に変換するとともに４分割センサー等にて構成される光検出器５、対物レンズ４を光ディスク１の径方向に変位させるトラッキングコイル６、対物レンズ４を光ディスク１の信号面に対して垂直方向に変位させるフォーカシングコイル７が組み込まれている。
【００２６】
斯かる構成において、光学式ピックアップ２の本体は、ピックアップ送り用モーター(図示せず)によって光ディスク１の径方向に変位せしめられるように構成されている。斯かる駆動機構は周知の機構を利用すればよいので、その説明は省略する。
【００２７】
８は前記光検出器５から得られる電気信号が光信号として入力される光出力信号処理回路であり、レーザー光の信号トラックに対するズレを示すトラッキングエラー信号、レーザー光の記録層に対するフォーカスズレを示すフォーカスエラー信号、光ディスク１に記録されている信号の読み出し信号であるＲＦ信号及び再生信号を２値化した信号を生成するように構成されている。斯かる光出力信号処理回路８による各種の信号生成動作は周知の回路にて行われるので、その説明は省略する。
【００２８】
９は前記光出力信号処理回路８によって生成されて出力されるトラッキングエラー信号が入力されるトラッキングサーボ回路であり、入力されるトラッキングエラー信号に基く
トラッキングコイル駆動信号を前記トラッキングコイル６に供給することによってトラッキング制御動作を行うように構成されている。１０は前記光出力信号処理回路８によって生成されて出力されるフォーカスエラー信号が入力されるフォーカスサーボ回路であり、入力されるフォーカスエラー信号に基くフォーカシングコイル駆動信号を前記フォーカシングコイル７に供給することによってフォーカス制御動作を行うように構成されている。
【００２９】
前記フォーカスサーボ回路１０からフォーカシングコイル７に供給されるフォーカシングコイル駆動信号は、対物レンズ４を光ディスク１の記録層に合焦させる位置である動作位置に変位させる直流電圧と光ディスク１の面振動に伴うフォーカスズレを補正するために対物レンズ４を高速で変位させる高周波信号とより構成されているが、斯かる信号は周知であるので説明は省略する。
【００３０】
１１は前記光出力信号処理回路８内に設けられている２値化回路によって２値化された再生信号が入力されるとともにデジタル信号処理を行うデジタル信号処理回路であり、光ディスク１に記録されている同期信号、位置情報データ及び記録信号等の各種の信号を復調するように構成されている。１２は光ディスク記録再生装置の各動作を制御するシステム制御回路であり、前記デジタル信号処理回路１１より生成される同期信号を利用してスピンドルモーターによる光ディスク１の回転制御動作や再生信号及び記録信号の処理動作、そして外部に設けられているパーソナルコンピューター等のホスト機器との信号の送受信動作を制御するように構成されている。斯かるシステム制御回路１２は、マイクロコンピューターにて構成されており、内部に設けられているフラッシユＲＯＭ等に記憶されているプログラムソフトに基いて各種の制御動作を行うように構成されている。
【００３１】
１３は前記光出力信号処理回路８から出力されるＲＦ信号が入力されるとともに該信号のレベルを検出するＲＦ信号レベル検出回路であり、光ディスク１に記録されている最短ピット、例えば３Ｔの信号及び最長ピット、例えば１４Ｔの信号より得られるＲＦ信号のレベルを検出するように構成されている。斯かるＲＦ信号レベル検出回路１３によるレベル検出動作は、デジタル信号処理回路１１によって得られる信号から３Ｔの信号及び１４Ｔの信号が認識されたとき、該システム制御回路１２から出力されるレベル検出動作制御信号に基づいて行われる。
【００３２】
１４は前記システム制御回路１２によって動作が制御される第１レベルメモリー回路であり、前記ＲＦ信号レベル検出回路１３によって検出される３Ｔに対応したＲＦ信号のレベルＬ１が記憶されるように構成されている。１５は前記システム制御回路１２によって動作が制御される第２レベルメモリー回路であり、前記ＲＦ信号レベル検出回路１３によって検出される１４Ｔに対応したＲＦ信号のレベルＬ２が記憶されるように構成されている。
【００３３】
前記システム制御回路１２は、前記第１レベルメモリー回路１４及び第２レベルメモリー回路１５にＲＦ信号のレベルＬ１及びＬ２が記憶されると、その比率Ｒ１をＬ２／Ｌ１から演算するように構成されている。
【００３４】
１６は前記システム制御回路１２によって動作が制御される最小レベルメモリー回路であり、前記ＲＦ信号レベル検出回路１３によって検出される最小レベルＬ３が記憶されるように構成されている。１７は前記システム制御回路１２によって動作が制御される最大レベルメモリー回路であり、前記ＲＦ信号レベル検出回路１３によって検出される最大レベルＬ４が記憶されるように構成されている。
【００３５】
前記システム制御回路１２は、前記最小レベルメモリー回路１６及び最大レベルメモリー回路１７にＲＦ信号のレベルＬ３及びＬ４が記憶されると、その比率Ｒ２をＬ４／Ｌ３
から演算するように構成されている。
【００３６】
１８はパーソナルコンピューター等から入力される記録信号やシステム制御回路１２にて生成されるテスト信号が入力される信号記録用回路であり、光ディスク１の規格に合わせて記録信号をインターリーブ等のエンコード処理する作用を有している。斯かる信号記録用回路１８によるエンコード処理は、周知であるのでその説明は省略する。
【００３７】
１９は前記信号記録用回路１８によってエンコード処理された記録信号が入力されるレーザー駆動信号生成回路であり、記録信号に対応して３Ｔ、４Ｔ…１４Ｔのピットを形成するために適した駆動信号、即ち図３に示すようなパルス信号を生成するように構成されている。２０は前記レーザー駆動信号生成回路１９より生成出力される駆動信号に応じてレーザーダイオード３を駆動する信号を出力するレーザー駆動回路である。
【００３８】
２１は前記システム制御回路１２によって動作が制御される第１スポット径メモリー回路であり、前記ＲＦ信号レベル検出回路１３によって検出された３Ｔ及び１４Ｔのピットに対応して得られたＲＦ信号のレベルＬ１及びＬ２に基いて演算される比率Ｒ１の値に応じたスポット径の値Ｓ１がテーブルデータとして記憶されている。
【００３９】
２２は前記システム制御回路１２によって動作が制御される第２スポット径メモリー回路であり、前記ＲＦ信号レベル検出回路１３によって検出されたＲＦ信号の最小レベルＬ３及び最大レベルＬ４に基いて演算される比率Ｒ２の値に応じたスポット径の値Ｓ２がテーブルデータとして記憶されている。
【００４０】
２３は前記システム制御回路１２によって動作が制御されるレーザー駆動信号制御回路であり、前記レーザー駆動信号生成回路１９による駆動信号の生成動作を制御するように構成されている。２４は前記システム制御回路１２によって動作が制御される記録ストラテジメモリー回路であり、前記比率Ｒ１によって求められるスポット径Ｓ１、前記比率Ｒ２によって求められるスポット径Ｓ２、そしてＳ１及びＳ２の比率Ｒ３（Ｓ２／Ｓ１）に基づいて設定されているストラテジデータがテーブルデータとして記憶されている。
【００４１】
前記レーザー駆動信号生成回路１９に対する記録パルス信号の生成制御動作は、前記記録ストラテジメモリー回路２４より得られるテーブルデータに基いて行われる。即ち、レーザー駆動信号生成回路１９からレーザー駆動回路２０に供給される駆動信号は、図３に示すようなパルス信号であり、３Ｔのピットを形成する場合には、先頭パルスＰ１のみの信号、４Ｔのピットを形成する場合には、先頭パルスＰ１及びＰ２よりなる信号、そして５Ｔのピットを形成する場合には、先頭パルスＰ１、Ｐ２及びＰ３より成る駆動信号をレーザー駆動回路２０に対して出力するように行われ、パルスＰ１、Ｐ２、Ｐ３の幅や各パルス間の間隔を前記記録ストラテジメモリー回路２４より得られるテーブルデータに基いて変更設定するように構成されている。
【００４２】
２５は前記フォーカスサーボ回路１０によるサーボ動作を行う場合にデフォーカス値を設定するデフォーカス値設定回路であり、前記システム制御回路１２による制御動作によって前記フォーカスサーボ回路１０に設定するデフォーカス値の変更動作及び設定動作を行うように構成されている。
【００４３】
斯かる構成において、ＲＦ信号のレベル検出動作は、例えば光ディスク１の内周側にレーザー出力の設定動作を行うために設けられている試し書き領域に例えば３Ｔ及び１４Ｔのテスト信号を記録し、その記録された信号を再生することによって行うように構成されている。また、記録用の光ディスク１には、プリグルーブと呼ばれる溝が形成されており、このプリグルーブから得られるウォブル信号を復調して得られる同期信号や位置情報デ
ータに基いて光ディスク１の回転駆動動作や光学式ピックアップ２の変位動作等を制御するように構成されている。
【００４４】
また、システム制御回路１２による制御動作によってトラッキングサーボ回路９によるトラッキングサーボ動作の動作不動作を選択制御することが出来るように構成されている。そして、システム制御回路１２による制御動作によってデフォーカス設定回路２５による設定されるデフォーカス値を段階的に変更することが出来るように構成されている。
【００４５】
以上に説明したように本発明に係る光ディスク記録再生装置は構成されているが、次に動作について説明する。光ディスク１に記録されている信号の再生動作を行う場合には、スピンドルモーターの回転制御動作が行われ、光ディスク１は所定の線速度にて回転駆動されることになる。斯かる線速度を一定にするための制御動作は、光ディスク１から読み出される同期信号とシステム制御回路１２により制御されるべく接続されている同期信号生成回路(図示せず)から生成される同期信号とを同期させることによって行われるが、斯かる動作は周知であるのでその説明は省略する。
【００４６】
光ディスク１に記録されている信号を再生するためにレーザーダイオード３に供給される駆動信号は、再生動作を行うために必要なレーザー出力が得られる値になるように設定されている。レーザーダイオード３から照射されるレーザー光は、対物レンズ４によって集光されて光ディスク１の信号面に合焦されることになるが、斯かる合焦動作は、フォーカスサーボ回路１０によるサーボ動作によって行われる。
【００４７】
前記フォーカスサーボ回路１０によるフォーカス制御動作は、光ディスク１の信号面から反射されるレーザー光が照射される光検出器５より得られる信号を利用して行われる。前記光検出器５より得られる信号は、光出力信号処理回路８に入力され、その信号に基いてフォーカスエラー信号が生成され、そのフォーカスエラー信号はフォーカスサーボ回路１０に入力される。斯かるフォーカスエラー信号がフォーカスサーボ回路１０に入力されると、該フォーカスサーボ回路１０からフォーカシングコイル７に対してフォーカスエラー信号のレベルを小さくする方向に対物レンズ４を変位させる駆動信号が供給される。斯かる駆動信号がフォーカシングコイル７に供給される結果、レーザー光を光ディスク１の信号面に合焦させる動作、即ちフォーカス制御動作を行うことが出来る。
【００４８】
前述したようにフォーカス制御動作は行われるが、トラッキング制御動作も同様に行うことが出来る。即ち、レーザーダイオード３から照射されるレーザー光のスポットが光ディスク１上の信号トラックより外れると、その外れの大きさに対応したレベルのトラッキングエラー信号が光出力信号処理回路８から出力される。斯かるトラッキングエラー信号がトラッキングサーボ回路９に入力されると、該トラッキングサーボ回路９からトラッキングコイル６に対してトラッキングエラー信号のレベルを小さくする方向に対物レンズ４を変位させる駆動信号が供給される。斯かる駆動信号がトラッキングコイル６に供給される結果、レーザー光を光ディスク１の信号面に設けられている信号トラックに追従させる動作、即ちトラッキング制御動作を行うことが出来る。
【００４９】
前述したフォーカス制御動作及びトラッキング制御動作が行われる結果、光ディスク１の信号トラック上に記録されている信号の読み取り動作を行うことが出来る。光ディスク１の信号トラックには、長さの異なる複数のピットにより信号が記録されており、斯かるピットの長さに応じたＲＦ信号が光出力信号処理回路８にて生成されるとともに２値化された信号が出力される。
【００５０】
前記光出力信号処理回路８より出力される２値化信号は、デジタル信号処理回路１１に入力され、該デジタル信号処理回路１１によって復調動作が行われる。前記デジタル信号
処理回路１１によって復調されたデータ信号は、システム制御回路１２を介してパーソナルコンピューター等へ出力されることになる。
【００５１】
以上に説明したように本実施例における再生動作は行われるが、次に記録動作について説明する。記録動作時におけるスピンドルモーターによる光ディスク１の回転制御動作、トラッキングサーボ回路９によるトラッキング制御動作及びフォーカスサーボ回路１０によるフォーカス制御動作は前述した再生動作時と同様に行われる。
【００５２】
パーソナルコンピューターより出力される記録信号は、信号記録用回路１８に入力されるとともに該信号記録用回路１８によってエンコード処理される。前記信号記録用回路１８によってエンコード処理された記録信号は、レーザー駆動信号生成回路１９に入力されるので、該レーザー駆動信号生成回路１９は、入力される記録信号に応じた長さのピットを光ディスク１の信号トラックに形成するための駆動信号を生成するとともに生成された駆動信号をレーザー駆動回路２０に対して出力する。
【００５３】
斯かる場合にレーザー駆動回路２０に供給される駆動信号のパルス波形は、記録ストラテジメモリー回路２４から選択されたストラテジデータに基いて生成されることになる。このようにして生成制御されたパルス波形の駆動信号がレーザー駆動回路２０に供給されると、そのパルス波形に対応した駆動信号が該レーザー駆動回路２０からレーザーダイオード３に対して供給される。
【００５４】
斯かる駆動信号がレーザーダイオード３に供給されると、該レーザーダイオード３からパルスに応じたレーザー光が照射され、光ディスク１の信号トラックにピットが形成されることになる。斯かる動作によって形成されるピットの長さは、光ディスク１の信号規格に対応した３Ｔ、４Ｔ…１４Ｔとなる。
【００５５】
以上に説明したように本実施例における再生及び記録動作は行われるが、次に本発明の要旨について説明する。
【００５６】
図２は、光ディスク１の信号トラックに形成されているピットＰとレーザー光のスポットＳとの関係を示すものである。図２(Ａ)は、スポットＳの形状が楕円であり、トラック方向に対して長径方向が直角にある場合、図２(Ｂ)は、スポットＳの形状が楕円であり、トラック方向に対して長径方向が４５度程度傾いた状態にある場合、図２(Ｃ)は、スポットＳの形状が楕円であり、トラック方向と長径方向が一致している場合である。
【００５７】
光ディスク１にピットＰを形成するために作用するレーザー光のスポットＳは、図２において、ピットＰと重なっている部分であり、各状態より明らかなようにピットＰの長さ方向、即ちタンジェンシャル方向の長さである有効長が相違することになる。
【００５８】
また、光ディスク１に記録されている信号の読み出し動作を行う場合や該光ディスク１に信号を記録する場合には、光ディスク１に形成されているプリグルーブからウォブル信号を読み出す動作が行われるが、斯かる動作を行う場合のスポットＳとしては、信号トラックに対して直角方向、即ち光ディスク１の径方向であるラジアル方向の長さが重要になる。
【００５９】
そして、斯かる構成において、フォーカスサーボのデフォーカス値を変化させるとスポットＳの形状が変化する。即ち、図２において、信号トラック方向のスポット径Ｓ１と信号トラックに対して直角方向であるラジアル方向のスポット径Ｓ２の値及びその比率が変化する。
【００６０】
本発明は、スポットＳの形状の相違に起因する有効長の相違による記録特性の変化とディスクの径方向、即ちラジアル方向のスポットＳの大きさによるウォブル信号の再生特性を改善するものであり、特にフォーカス制御動作を行うデフォーカス値を変更することによって記録再生動作を行うために適したスポット形状になるように設定するとともにスポット形状に応じて記録ストラテジを変更するようにしたものである。
【００６１】
次に記録動作を行う場合における有効長を相違させる原因となるスポットＳの形状を検出する動作について説明する。光ディスク１に設けられている試し書き領域にレーザー出力の調整時に記録されるテスト信号を再生する動作を行うと、前述したように光出力信号処理回路８からＲＦ信号及び２値化信号が出力される。
【００６２】
前記光出力信号処理回路８から出力されるＲＦ信号は、ＲＦ信号レベル検出回路１３に入力された状態にあり、該ＲＦ信号レベル検出回路１３は、入力されるＲＦ信号のレベルを検出する動作を行う状態にある。また、斯かる状態にあるとき、前記光出力信号処理回路８から出力される２値化信号は、デジタル信号処理回路１１に入力されるので、入力される信号の中から３Ｔ信号及び１４Ｔ信号の検出動作を行うことが出来る。
【００６３】
３Ｔ信号が検出されると、システム制御回路１２による制御動作が行われ、そのときＲＦ信号レベル検出回路１３にて検出されたＲＦ信号のレベルＬ１を第１レベルメモリー回路１４に記憶させる動作が行われる。同様に１４Ｔ信号が検出されると、システム制御回路１２による制御動作が行われ、そのときＲＦ信号レベル検出回路１３にて検出されたＲＦ信号のレベルＬ２を第２レベルメモリー回路１５に記憶させる動作が行われる。
【００６４】
前記第１レベルメモリー回路１４へのレベルＬ１の記憶動作及び第２レベルメモリー回路１５へのレベルＬ２の記憶動作が行われると、システム制御回路１２による演算処理動作によってＲＦ信号のレベル比Ｒ１がＬ２／Ｌ１にて求められる。
【００６５】
光出力信号処理回路８から出力されるＲＦ信号のレベルは、最短ピット長である３Ｔ信号から得られるレベルＬ１が最も小さく、最長ピット長である１４Ｔから得られるレベルＬ２が最も大きくなる。また、ＲＦ信号のレベルは、スポットＳのピットＰに対する有効長に対応して変化することになる。即ち、有効長Ｌの長さが短くなるほど大きな反射光の変化を得ることが出来るので、ＲＦ信号のレベルは大きくなる。
【００６６】
一方、ピットＰの長さに対するスポットＳの有効長の比率は、有効長の大きさに応じて変化するが、ピットの長さは、光ディスク１の記録規格によって規定されているので、３Ｔ及び１４Ｔの長さは一定となる。その結果、３Ｔ及び１４Ｔのピットから得られるＲＦ信号のレベルは、スポットＳの有効長によって変化することになるとともにその変化率も相違することになる。
【００６７】
スポットＳの有効長の長さがＳＡの場合におけるＬ１の値をＬＡ１、Ｌ２の値をＬＡ２とすると、比率ＲＡはＬＡ２／ＬＡ１となり、スポットＳの有効長の長さがＳＢの場合におけるＬ１の値をＬＢ１、Ｌ２の値をＬＢ２とすると、比率ＲＢはＬＢ２／ＬＢ１となる。そして、このようにして得られる比率ＲＡ及びＲＢは、スポットＳの有効長の相違に伴って相違することになる。
【００６８】
従って、レベル比Ｒ１と有効長との関係を前もって設定しておけば、ピットの長さが一定で３Ｔ及び１４Ｔから得られるＲＦ信号のレベルの比が求められると、ピットに対するレーザー光のスポットＳの有効長を検出することが出来る。また、光学式ピックアップ２におけるレーザー光のスポットＳの形状は、光学式ピックアップ２の製造時に決定されているので、前記有効長を検出することによってレーザー光の信号トラックに対するスポッ
トＳの信号トラック方向のスポット径Ｓ１を第１スポット径メモリー回路２１に記憶されているテーブルデータから求めることが出来る。尚、斯かる第１スポット径メモリー回路２１に記憶されているテーブルデータは、ＲＦ信号のレベル比Ｒ１とスポット径との関係を実験的に測定して得られたデータである。
【００６９】
以上に説明したようにスポットＳの信号トラック方向のスポット径Ｓ１を検出する動作は行われるが、次にスポットＳの信号トラックに対して直角方向のスポット径Ｓ２を検出する動作について説明する。
【００７０】
斯かる検出動作は、光ディスク１に設けられている試し書き領域にレーザー出力の調整時に記録されているテスト信号を再生することにより行われるが、斯かる再生動作は、トラッキングサーボ回路９を不動作状態にさせた状態にて行われる。
【００７１】
光学式ピックアップ２の試し書き領域への移動動作は、周知のサーチと呼ばれる動作によって行うことが出来る。即ち、光ディスク１の信号トラックに記録されている位置情報を光学式ピックアップ２のトラックジャンプ動作を繰り返し行うことによって読み取り、該光学式ピックアップ２を所望のトラック、即ちテスト信号が記録されている位置に移動させることが出来る。
【００７２】
斯かる動作によって光学式ピックアップ２が所望の位置まで移動したことが認識されると、フォーカスサーボ回路１０によるフォーカス制御動作を行った状態のままで、トラッキングサーボ回路９を不動作状態にする制御動作がシステム制御回路１２によって行われる。斯かる状態にあるとき光ディスク１の試し書き領域に記録されているテスト信号の読み出し動作が行われ、その読み出された信号であるＲＦ信号が光出力信号処理回路８から出力される。
【００７３】
前記光出力信号処理回路８から出力されるＲＦ信号は、ＲＦ信号レベル検出回路１３に入力され、該ＲＦ信号レベル検出回路１３によってそのレベルが検出される。トラッキングサーボ回路９が不動作状態にある状態では、レーザー光のスポットＳの信号トラックに対する追従動作が行われないので、スポットＳが光ディスク１の信号トラックに対して直角方向であるラジアル方向、即ち光ディスク１の径方向に大きく変位することになる。
【００７４】
スポットＳが径方向に変位すると、トラック上にスポットＳがある場合は大きなレベルのＲＦ信号が得られ、トラック間にスポットＳがある場合はクロストーク分のみの小さなレベルのＲＦ信号が得られるので、光出力信号処理回路８から出力されるＲＦ信号のレベルが大きく変動することになる。前記光出力信号処理回路８から出力されるＲＦ信号は、ＲＦ信号レベル検出回路１３に入力され、該ＲＦ信号レベル検出回路１３によってそのエンベロープのレベルが検出される。
【００７５】
この場合における前記ＲＦ信号レベル検出回路１３によるレベル検出動作は、入力されるＲＦ信号の最小レベルと最大レベルとを検出する動作を行っており、斯かる検出動作が所定時間行われると、その間に得られた最小レベルＬ３を最小レベルメモリー回路１６に記憶させるとともに最大レベルＬ４を最大レベルメモリー回路１７に記憶させる動作が行われる。
【００７６】
前記最小レベルメモリー回路１６への最小レベルＬ３の記憶動作及び最大レベルメモリー回路１７への最大レベルＬ４の記憶動作が行われると、システム制御回路１２による演算処理動作によってＲＦ信号のレベル比Ｒ２がＬ４／Ｌ３にて求められる。
【００７７】
光出力信号処理回路８から出力されるＲＦ信号の最大レベルＬ４と最小レベルＬ３との
レベル比Ｒ２の値は、スポットＳのラジアル方向の長さであるスポット径Ｓ２が大きくなるに従って大きくなる特性がある。従って、レーザー光の信号トラックに対するスポットＳの信号トラックに対して直角方向のスポット径Ｓ２を第２スポット径メモリー回路２２に記憶されているレベル比Ｒ２に対応して設定されているテーブルデータから求めることが出来る。尚、斯かる第２スポット径メモリー回路２２に記憶されているテーブルデータは、ＲＦ信号のレベル比Ｒ２とスポット径との関係を実験的に測定して得られたデータである。
【００７８】
前述したように信号トラック方向のスポット径Ｓ１及び信号トラックに対して直角方向のスポット径Ｓ２の検出動作は行われるが、本発明では、斯かる検出動作をフォーカスサーボ回路１０のデフォーカス値を変更させる毎に行うように構成されている。即ち、フォーカスサーボのデフォーカス値を変更させると、トラック上のスポットＳの大きさが大から小へ、また小から大へと変化する。
【００７９】
例えば、デフォーカス値を基準値に対して＋１５％から−１５％まで変化させると、スポットＳの大きさが大から小へ、また小から大へと変化するが、デフォーカス値の値を基準値に対して、例えば５％ずつ段階的に変更しながら前述したスポット径Ｓ１及びＳ２の検出動作を行う。
【００８０】
フォーカスサーボのデフォーカス値を変更すると、スポットＳの形状が変化するので、スポット径Ｓ１及びＳ２が変化することになる。デフォーカス設定回路２５を制御することによってデフォーカス値を変更する毎に前記スポット径Ｓ１及びＳ２の値が求められると、その求められたスポット径Ｓ１及びＳ２から比率Ｒ３を演算によって求める動作が行われる。
【００８１】
このように求められた比率Ｒ３によってスポットＳの形状を認識することが出来るとともにスポット径Ｓ１及びＳ２とによってスポットＳの大きさを判断することが出来ることになる。
【００８２】
前述したようにスポット径Ｓ１及びＳ２から得られる比率Ｒ３の値が求められると、その比率Ｒ３が所定値内、即ちスポットＳの形状が記録動作及び再生動作を行うために適した形状であるか否かを判定するために前もって設定されている値の範囲にあるか否かを判定し、所定範囲内のスポット形状が得られるデフォーカス値をシステム制御回路１２に設けられているメモリー回路(図示せず)に記憶させる動作が行われる。そして、斯かる動作によって設定されるデフォーカス値は、段階的に変更される複数のデフォーカス値で得られた比率Ｒ３が所定値内であった場合には、例えば中間値の値に設定すれば良い。
【００８３】
このようにして設定されたデフォーカス値に基づくフォーカス制御動作が行われて記録動作を行うことが出来る状態に設定されるが、このように設定されると、スポットＳの形状、スポット径Ｓ１及びＳ２に基づいて記録ストラテジメモリー回路２４にテーブルデータとして記憶されているデータを選択して記録動作が行われることになる。
【００８４】
即ち、前記記録ストラテジメモリー２４から選択して読み出されるデータは、スポットＳの形状、スポット径Ｓ１及びＳ２のレーザー光を使用して光ディスク１に信号を記録する場合に適したパルス波形のレーザー駆動信号をレーザー駆動信号生成回路１９から生成させることが出来るデータであるので、光ディスク１への信号の記録動作を正確に行うことが出来る。
【００８５】
尚、本実施例では、光ディスク１に設けられている試し書き領域に記録されている信号を再生して得られるＲＦ信号のレベルを検出するようにしたが、信号の記録領域に記録さ
れている信号を再生して得られるＲＦ信号のレベルを検出するようにすることも出来る。また、光ディスク１に記録されている最短ピットと最長ピットを再生して得られるＲＦ信号のレベルを検出するようにしたが、その他のピットを利用することは勿論可能である。
【００８６】
また、試し書き領域に記録されている信号から得られるＲＦ信号のレベルを検出する場合には、該試し書き領域に検出対象となる最短ピット及び最長ピットの信号のみを記録するようにすると、検出動作を容易に行うことが出来る。更に、斯かる検出対象となるピットの信号を繰り返し記録するようにすると、レベル検出動作を正確に行うことが可能となる。
【図面の簡単な説明】
【００８７】
【図１】本発明に係る光ディスク記録再生装置の一実施例を示すブロック回路図である。
【図２】光ディスクの信号トラックに形成されているピットとレーザー光のスポットとの関係を示す説明図である。
【図３】本発明の動作を説明するための信号波形図である。
【符号の説明】
【００８８】
１        光ディスク
２        光学式ピックアップ
３        レーザーダイオード
５        光検出器
６        トラッキングコイル
７        フォーカシングコイル
８        光出力信号処理回路
９        トラッキングサーボ回路
１０        フォーカスサーボ回路
１１        デジタル信号処理回路
１２        システム制御回路
１３        ＲＦ信号レベル検出回路
１４        第１レベルメモリー回路
１５        第２レベルメモリー回路
１６        最小レベルメモリー回路
１７        最大レベルメモリー回路
１８        信号記録用回路
１９        レーザー駆動信号生成回路
２０        レーザー駆動回路
２１        第１スポット径メモリー回路
２２        第２スポット径メモリー回路
２３        レーザー駆動信号制御回路
２４        記録ストラテジメモリー回路
２５        デフォーカス設定回路
【図１】
2006164411.tif 000003
【図２】
2006164411.tif 000004
【図３】
2006164411.tif 000005